(57)【要約】      （修正有）【課題】インタラクティブなシチュエーションゲーム效果をもつ水洗可能な描画用パネルを提供する。【解決手段】絵柄１２を備えた被覆層と、被覆層内に充填される充填物とによって構成する。前記被覆層内には音声発生部材が設けられ、水洗可能な描画用パネル１は感応部材１５を備え、前記感応部材から前記音声発生部材の距離が一定の距離になった時、前記音声発生部材は、前記被覆層の絵柄に対応する音声を発する。【選択図】図１
0003168240.tif 000002
【実用新案登録請求の範囲】
【請求項１】
絵柄を備えた被覆層と、被覆層内に充填される充填物とによって構成する音声付きシチュエーションゲーム機能を備えた水洗可能な描画用パネルであって、
前記被覆層内には音声発生部材が設けられ、前記水洗可能な描画用パネルは感応部材を備え、前記感応部材から前記音声発生部材の距離が一定の距離になった時、前記音声発生部材は、前記被覆層の絵柄に対応する音声を発することを特徴とする、音声付きシチュエーションゲーム機能を備えた水洗可能な描画用パネル。
【請求項２】
前記感応部材は磁石であることを特徴とする、請求項１に記載の音声付きシチュエーションゲーム機能を備えた水洗可能な描画用パネル。
【請求項３】
前記感応部材は人形の形態であることを特徴とする、請求項１に記載の音声付きシチュエーションゲーム機能を備えた水洗可能な描画用パネル。
【請求項４】
前記被覆層は、Ｔ／Ｃ綿布或いは化学繊維布であることを特徴とする、請求項１に記載の音声付きシチュエーションゲーム機能を備えた水洗可能な描画用パネル。
【請求項５】
前記水洗可能な描画用パネルは、単面描画用パネル、或いは、両面描画用パネル、或いは、立体描画用パネルであることを特徴とする、請求項１に記載の音声付きシチュエーションゲーム機能を備えた水洗可能な描画用パネル。
【請求項６】
前記音声発生部材は、感応式或いは押しボタン式であることを特徴とする、請求項１に記載の音声付きシチュエーションゲーム機能を備えた水洗可能な描画用パネル。
【考案の詳細な説明】
【技術分野】
【０００１】
本考案は絵を描くことができるとともに水洗いして何度も使用することができる水洗可能な描画用パネルに関し、特にインタラクティブな音声付きシチュエーションゲーム機能を備えた水洗可能な描画用パネルに関する。
【背景技術】
【０００２】
市場で販売されている描画用パネルは、通常、一回しか使用できない。描画用パネルに絵が描かれると、描画用パネルに塗布された絵柄を取り除くことはできず、何度も使用することはできない。
【０００３】
そこで、ある業者によって、何度も繰り返し使用できる描画用パネルが開発された。この描画用パネルは、被覆層と、その被覆層内に充填される充填物とからなる、化学繊維布或いはＴ／Ｃ綿布で作られた水洗可能な描画用パネルである。この構造によると、使用者はその被覆層に絵を描くことができる。例えば、拓本板及び拓本顏料を用いることで、使用者は、拓本の暈し染め、色重ね及び異なる筆のタッチの色彩技巧を学ぶことができ、被覆層の色彩を取り除きたい時は、水道水等を使った簡単な清掃方法で数秒以内に手軽に被覆層上の図案を消すことができ、その後自然乾燥させれば繰り返し使用することができる。以上のように、この描画用パネルは、教育的意義をもち、環境にも優しい。
【０００４】
しかしながら、この種の構造は、何度も繰り返して使用することができるものの、インタラクティブな効果をもつ描画用パネルにするためには、改良の余地がある。
【考案の概要】
【考案が解決しようとする課題】
【０００５】
そこで、本考案は、インタラクティブなシチュエーションゲーム效果をもつ水洗可能な描画用パネルを提供することを目的とする。
【０００６】
また、本考案は、Ｔ／Ｃ綿布或いは化学繊維布材質からなり、絵を描くことができるとともに水洗いも行うことができる描画用パネルを提供することを目的とする。
【課題を解決するための手段】
【０００７】
上述の目的を達成するために、本考案による水洗可能な描画用パネルは、被覆層と、前記被覆層内に充填される充填物とによって構成する。前記被覆層内には音声発生部材が設けられ、前記水洗可能な描画用パネルは感応部材を備え、前記感応部材から前記音声発生部材までの距離が所定の距離になった時、前記音声発生部材は対応する音声を発する。
【０００８】
本考案は被覆層を備えており、前記被覆層の表面は図案の線や絵を描ける空間を備えているため、使用者は、顏料、拓本により、前記被覆層に多種多様な色彩或いは絵柄をつけることができ、また、拓本の暈し染め、色重ね及び異なる筆のタッチの色彩技巧を学ぶことができる。前記被覆層内には充填物を充填し、前記被覆層と前記充填物は、化学繊維布或いはＴ／Ｃ綿布等の水洗可能且つ防水機能をもつ材質からなる。前記被覆層内には音声発生部材が設けられ、前記音声発生部材は、感応部材によって感応して音声を発する。即ち、前記感応部材から前記音声発生部材までの距離が所定の距離になった時、前記音声発生部材は前記被覆層絵柄に対応する音声を発する。
【図面の簡単な説明】
【０００９】
【図１】本考案の実施例１を示した斜視図１である。
【図２】本考案の実施例１を示した斜視図２である。
【図３】本考案の実施例１を示した断面図である。
【図４】本考案の実施例１の実施動作を示した説明図１である。
【図５】本考案の実施例１の実施動作を示した説明図２である。
【図６】本考案の実施例１の実施動作を示した説明図３である。
【図７】本考案の実施例２を示した斜視図である。
【図８】本考案の実施例３を示した斜視図である。
【図９】本考案の実施例４を示した斜視図である。
【考案を実施するための形態】
【００１０】
（実施例１）
図１から図３を参照する。図１は、本考案の実施例１を示した斜視図１であり、図２は、本考案の実施例１を示した斜視図２であり、図３は、本考案の実施例１を示した断面図である。図から分かるように、本考案による水洗可能な描画用パネル１は、被覆層１１と、被覆層１１内に充填される充填物１３とによって構成する。その内、被覆層１１は、綿布或いは化学繊維布であり、被覆層１１は、森林、恐竜などの様々なデザインの絵柄１２を備えている（図１に図示）。また、被覆層１１内には音声発生部材１４が設けられ、音声発生部材１４は、被覆層１１の絵柄１２に対応した音声を発する。また、水洗可能な描画用パネル１は、感応部材１５を備え、感応部材１５は磁石にすることができ、また、感応部材１５は人形の形にすることができる。音声発生部材１４は、感応式或いは押しボタン式の方法によって、音声を出すことができる。
【００１１】
また、水洗可能な描画用パネル１は、単面描画用パネル、両面描画用パネル、或いは立体描画用パネルにすることができる。
【００１２】
上述の構造をもつ本考案を使用するときの動作について以下に説明を行う。図３から図６を参照する。図３は、本考案の実施例１を示した断面図であり、図４は、本考案の実施例１の実施動作を示した説明図１であり、図５は、本考案の実施例１の実施動作を示した説明図２であり、図６は本考案の実施例１の実施動作を示した説明図３である。図から分かるように、本考案は立体水洗可能な描画用パネル１にすることができる。水洗可能な描画用パネル１は、ページをめくるようにして、それぞれに描かれた様々なな絵柄１２を表示させることができる。本考案を使用して、インタラクティブなゲームを行う時は、感応部材１５を人形の形にすることができ（図示せず）、被覆層１１には順番に物語の情景が設けられており、使用者は感応部材１５を手で操作して被覆層１１内の音声発生部材１４を発動させると、音声発生部材１４は被覆層１１の絵柄１２に対応する音声を発する。例えば、絵柄１２が恐竜の絵柄１２であるとき、感応部材１５から音声発生部材１４までの距離が所定の距離になると、音声発生部材１４は音声（例えば恐竜の声）を発する。
【００１３】
（実施例２）
図７を参照する。図７は、本考案の実施例２を示した斜視図である。ここでは、本考案をパズル形態にした例を挙げて説明を行う。音声発生部材１４ａを中心に配置し、複数の感応部材１５ａをパズル構造２ａに結合させる。このように、複数のパズル構造２ａと少なくとも一つの音声発生部材１４ａを組み合わせて一つの描画用パネルを形成させる。なお、各感応部材１５ａに対応した音声発生部材１４ａは、対応する音声を発する。
【００１４】
（実施例３）
図８を参照する。図８は、本考案の実施例３を示した斜視図である。ここでは、本考案を本の形態にした例を挙げて説明を行う。この例は、押しボタン式音声発生部材１４ｂを採用する。本は水洗可能な描画用パネル１ｂであり、水洗可能な描画用パネル１ｂには複数の押しボタン式音声発生部材１４ｂが設けられ、各押しボタン式音声発生部材１４ｂには、それぞれ一種類の動物が描かれている。そして、その内の一つの音声発生部材１４ｂを押した時、対応する音声が発する。以上の構造により、本をめくっているときにでてきた本内の動物に対応する音声発生部材１４ｂを押すと、その動物の鳴き声を出すことができる。
【００１５】
（実施例４）
図９を参照する。図９は、本考案の実施例４を示した斜視図である。ここでは、本考案を動物の外型の抱き枕の形態にした例を挙げて説明を行う。動物の外型の抱枕には感応部材１５ａが結合され、感応部材１５ａに対応する音声発生部材１４ｃは、抱き枕に符合する動物の鳴き声を発する。
【００１６】
上述の説明では、動物の鳴き声を例にあげたが、本考案はあらゆるシチュエーションに適用することができ、動物の鳴き声に限定されず、あらゆる電子効果音や音楽効果音を発することができる。
【００１７】
全ての図を参照する。本考案は、従来の技術と比べて、以下の優れた点を有する。本考案の被覆層１１内には音声発生部材１４が設けられ、水洗可能な描画用パネル１は感応部材１５を備え、感応部材１５から音声発生部材１４までの距離が所定の距離になると、音声発生部材１４は被覆層１１絵柄１２に対応する音声を発する。以上の構造により、本考案は、インタラクティブなシチュエーションゲームを行えるという楽しさが生じるため、実用進歩性をそなえているといえる。
【符号の説明】
【００１８】
１、１ｂ  水洗可能な描画用パネル
１１      被覆層
１２      絵柄
１３      充填物
１４、１４ａ、１４ｂ、１４ｃ  音声発生部材
１５、１５ａ                  感応部材
２ａ      パズル構造
【図１】
0003168240.tif 000003
【図２】
0003168240.tif 000004
【図３】
0003168240.tif 000005
【図４】
0003168240.tif 000006
【図５】
0003168240.tif 000007
【図６】
0003168240.tif 000008
【図７】
0003168240.tif 000009
【図８】
0003168240.tif 000010
【図９】
0003168240.tif 000011